(57)【要約】【課題】簡単な着脱構造により短時間に係着・解除を行って通い箱の組立てとシート状への展開ができ、高い係着強度を保持することができ、箱体の外部への突出部がなく、箱体の外部から着脱構造の係着を解除できない通い箱を提供する。【解決手段】胴部２の両端部を互い係着・解除する着脱構造１０が、可撓性の雄形係止片１５を備えて胴部２の一端に固定した雄形固定具８と、雄形係止片１５の嵌合により雄形係止片１５の抜け出しを拘束できる雌形ストッパ２３を備えて胴部２の他端に固定した雌形固定具９とを有し、雌形固定具９が雄形固定具８の外側に重なって雄形係止片１５と雌形ストッパ２３による係着が行われ、系着状態の雄形係止片１５を箱体内から変形させることにより係着を解除できるようにした。【選択図】図１０
2009091022.tif 000002
【特許請求の範囲】
【請求項１】
折線を介して横方向に連接された胴部パネルの両端を互いに接合することにより角形の輪状を形成できる胴部と、前記各胴部パネルの上端及び下端に折線を介してそれぞれ連接される４枚の蓋パネル及び４枚の底パネルとを有して防水性基材により形成され、前記胴部の両端部を互いに係着・解除できる着脱構造を備え、該着脱構造の係着により組立てられる箱体内に物品を収容して使用し、使用後に前記着脱構造の係着を解除して展開することにより全体をシート状にして洗浄・乾燥が行えるようにした通い箱であって、前記着脱構造が、可撓性の雄形係止片を有して前記胴部の一端に固定された雄形固定具と、前記雄形係止片の嵌合により該雄形係止片の抜け出しを拘束できる雌形ストッパを有して前記胴部の他端に固定された雌形固定具とを有し、雌形固定具が雄形固定具の外側に重なって雄形係止片と雌形ストッパによる係着が行われ、系着状態の雄形係止片を箱体内から変形させることにより係着を解除できるようにしたことを特徴とする通い箱。
【請求項２】
前記防水性基材が２つのピース部材により形成されており、各ピース部材における胴部の両端部に雄形固定具と雌形固定具からなる着脱構造を装備し、該着脱構造の係着により箱体を組み立てるようにしている請求項１に記載の通い箱。
【請求項３】
前記着脱構造を胴部の端部に複数個備えている請求項１又は２に記載の通い箱。
【請求項４】
前記雄形固定具及び雌形固定具は合成樹脂により形成している請求項１〜３のいずれか１つに記載の通い箱。
【請求項５】
前記雄形固定具及び雌形固定具は台部に複数の筒状突部を有しており、又、前記胴部の端部には前記筒状突部が嵌合する固定孔を有しており、前記筒状突部を胴部の一側から固定孔に嵌合し、フラット板に固定ピンを備えて前記雄形固定具及び雌形固定具と同系の合成樹脂で形成した止具の前記固定ピンを前記胴部の他側から前記筒状突部の孔に挿入し、固定ピンの突出端を前記台部に熱溶着することにより前記雄形固定具及び雌形固定具を胴部に固定している請求項１〜４のいずれか１つに記載の通い箱。
【請求項６】
前記雄形固定具及び雌形固定具は台部に複数の筒状突部を有し、又、前記胴部の端部には前記筒状突部が嵌合する固定孔を有しており、更に、前記雄形固定具及び雌形固定具と箱体組立シートは同系の合成樹脂により形成されており、筒状突部を胴部の固定孔に挿入して該固定孔から突出した筒状突部の突出端を胴部の端部に熱溶着することにより前記雄形固定具及び雌形固定具を胴部に固定している請求項１〜４のいずれか１つに記載の通い箱。
【請求項７】
前記雄形固定具及び雌形固定具と箱体組立シートは同系の合成樹脂により形成されており、雄形固定具及び雌形固定具の台部を胴部の端部に熱溶着することにより固定している請求項１〜４のいずれか１つに記載の通い箱。
【請求項８】
前記胴部の一端に切欠部を備えた耳部が折線を介して連接しており、前記雄形固定具は雄形係止片が前記切欠部内に位置するよう切欠部に嵌合して耳部に固定され、前記雌形固定具は前記雄形係止片が嵌合するＵ字状の雌形ストッパが箱体の内側に突出するよう胴部の他端の内面に固定されている請求項１〜７のいずれか１つに記載の通い箱。
【請求項９】
前記雄形係止片は、外側に向けて変形させることにより雌形ストッパとの係着が解除できるフラップ形係止片である請求項１〜８のいずれか１つに記載の通い箱。
【請求項１０】
前記雄形係止片は、互いに近付けるように変形させることにより雌形ストッパとの係着が解除できる２本のアーム形係止片である請求項１〜８のいずれか１つに記載の通い箱。
【発明の詳細な説明】
【技術分野】
【０００１】
本発明は、胴部の両端部を互い係着することにより箱体を組立て、又、係着を解除してシート状に展開できるようにした通い箱において、胴部の両端を着脱構造により容易に着脱することができ、着脱構造による高い係着強度が保持でき、着脱構造が箱体の外部に突出せず、箱体の係着を外部からは解除できないようにすることによって、箱体の組立・展開の作業性の向上、箱体の強度の向上、衝突等による損壊の防止、箱体を不要に開放できない安全性、とを備えた通い箱に関する。
【背景技術】
【０００２】
従来より、物流における通い箱としては段ボール箱が一般に用いられて来たが、近年では、ゴミ発生量の削減、環境汚染の防止、価格の削減および紙粉対策などの目的から段ボール箱に代わって、強度に優れ長期間での繰り返し使用が可能であり、しかも洗浄が可能で衛生面及び美観の面で優れている例えばプラスチック段ボールや発泡ポリプロピレンシートなどの合成樹脂製の通い箱が幅広い分野で採用されるようになってきている。
【０００３】
そして、このような合成樹脂製の通い箱では、洗浄する際に通い箱がシート状に展開できる構成になっていると洗浄作業を能率的に行えることから、折線を介して横方向に胴部パネルが連接された胴部の両端を互いに接合して角形の輪状を形成できる胴部と、各胴部パネルの上端ならびに下端に折線を介してそれぞれ連接される蓋パネルと底パネルとにより構成される通い箱において、胴部の一端に係止片を突設し、この係合片を、胴部の他端に形成した係合溝に差込んで固定するようにした着脱構造を備えたものが特許文献１に示されている。
【特許文献１】特開２００３−１５５０２３号公報
【発明の開示】
【発明が解決しようとする課題】
【０００４】
特許文献１に示されているように、胴部の両端に備える着脱構造の形状を工夫することによって、箱体を容易に組立てたり展開できるようにしたものは従来から種々提案されている。
【０００５】
しかし、このような従来の着脱構造を通い箱に適用する場合には、解決しなければならない種々の課題が存在する。
【０００６】
即ち、胴部の両端を着脱するための着脱構造は、洗浄作業等を能率的に行うために、簡単な操作で短時間に係着・解除を行えるようになっている必要がある。又、着脱構造は通い箱に作用する外的或いは内的な作用力に対して耐えられる高い係着強度を有している必要がある。更に、着脱構造が箱体の外部に突出した部分を有していると衝突や摩耗等により損壊して通い箱の寿命が短縮されてしまうため着脱構造には箱体の外部へ突出する突出部を有しないことが好ましい。又、通い箱はセキュリティーの面から着脱構造による係着を箱体の外部からは解除できないことが好ましい。
【０００７】
しかし、前記特許文献１に示される通い箱のように、胴部の一端に係止片を突設し、この係合片を胴部の他端に形成した係合溝に差込んで固定（係着）するようにした着脱構造では、簡単な操作で短時間に係着・解除することができない。即ち、係止片を係合溝に差込む作業は面倒であり作業に時間を要する問題がある。簡単な操作で短時間に係着・解除作業を行えるようにするためには着脱構造の形状を単純化する必要があるが、着脱構造の形状を単純化した場合には高い係着強度が得られないといった相反する問題がある。
【０００８】
又、係合片を係合溝に差込んで固定する方式では、着脱構造の一部が箱体の外部に突出するため、この突出部が他の部材との衝突や摩耗等により損壊して通い箱の寿命が短縮されてしまうという問題がある。
【０００９】
更に、係合片を係合溝に差込んで固定する方式では、着脱構造の係着を箱体の外部から解除することができてしまうためセキュリティーの面で問題を有していた。
【００１０】
本発明は前記実情に鑑みてなしたものであり、簡単な着脱構造により短時間に係着・解除を行って通い箱の組立てとシート状への展開ができ、高い係着強度を保持することができ、箱体の外部への突出部がなく、更に着脱構造の係着を箱体の外部からは解除できない通い箱を提供することにある。
【課題を解決するための手段】
【００１１】
本発明は、折線を介して横方向に連接された胴部パネルの両端を互いに接合することにより角形の輪状を形成できる胴部と、前記各胴部パネルの上端及び下端に折線を介してそれぞれ連接される４枚の蓋パネル及び４枚の底パネルとを有して防水性基材により形成され、前記胴部の両端部を互いに係着・解除できる着脱構造を備え、該着脱構造の係着により組立てられる箱体内に物品を収容して使用し、使用後に前記着脱構造の係着を解除して展開することにより全体をシート状にして洗浄・乾燥が行えるようにした通い箱であって、前記着脱構造が、可撓性の雄形係止片を有して前記胴部の一端に固定された雄形固定具と、前記雄形係止片の嵌合により該雄形係止片の抜け出しを拘束できる雌形ストッパを有して前記胴部の他端に固定された雌形固定具とを有し、雌形固定具が雄形固定具の外側に重なって雄形係止片と雌形ストッパによる係着が行われ、系着状態の雄形係止片を箱体内から変形させることにより係着を解除できるようにしたことを特徴とする通い箱、に係るものである。
【００１２】
上記通い箱において、前記防水性基材が２つのピース部材により形成されており、各ピース部材における胴部の両端部に雄形固定具と雌形固定具からなる着脱構造を装備し、該着脱構造の係着により箱体を組み立てるようにすることは好ましい。
【００１３】
又、上記通い箱において、前記着脱構造を胴部の端部に複数個備えていることは好ましい。
【００１４】
又、上記通い箱において、前記雄形固定具及び雌形固定具を合成樹脂により形成することは好ましい。
【００１５】
又、上記通い箱において、前記雄形固定具及び雌形固定具は台部に複数の筒状突部を有し、又、前記胴部の端部には前記筒状突部が嵌合する固定孔を有しており、前記筒状突部を胴部の一側から固定孔に嵌合し、フラット板に固定ピンを備えた止具の前記固定ピンを前記胴部の他側から前記筒状突部の孔に挿入し、固定ピンの突出端を前記台部に熱溶着することにより前記雄形固定具及び雌形固定具を胴部に固定していることは好ましい。
【００１６】
又、上記通い箱において、前記雄形固定具及び雌形固定具は台部に複数の筒状突部を有し、又、前記胴部の端部には前記筒状突部が嵌合する固定孔を有しており、更に、前記雄形固定具及び雌形固定具と箱体組立シートは同系の合成樹脂により形成されており、筒状突部を胴部の固定孔に挿入して該固定孔から突出した筒状突部の突出端を胴部の端部に熱溶着することにより前記雄形固定具及び雌形固定具を胴部に固定していることは好ましい。
【００１７】
又、上記通い箱において、前記雄形固定具及び雌形固定具と箱体組立シートは同系の合成樹脂により形成されており、雄形固定具及び雌形固定具の台部を胴部の端部に熱溶着することにより固定していることは好ましい。
【００１８】
又、上記通い箱において、前記胴部の一端に切欠部を備えた耳部が折線を介して連接しており、前記雄形固定具は雄形係止片が前記切欠部内に位置するよう切欠部に嵌合して耳部に固定され、前記雌形固定具は前記雄形係止片が嵌合するＵ字状の雌形ストッパが箱体の内側に突出するよう胴部の他端の内面に固定されていることは好ましい。
【００１９】
又、上記通い箱において、前記雄形係止片が、外側に向けて変形させることにより雌形ストッパとの係着が解除できるフラップ形係止片であることは好ましい。
【００２０】
又、上記通い箱において、前記雄形係止片が、互いに近付けるように変形させることにより雌形ストッパとの係着が解除できる２本のアーム形係止片であることは好ましい。
【発明の効果】
【００２１】
本発明の通い箱によれば、簡単な構成の着脱構造によって短時間に係着・解除を行って箱体の組立てとシート状への展開が可能であり、且つ高い係着強度を保持することができ、更に、箱体の外部への突出部がないため衝突や摩耗によって通い箱が損壊したり寿命が短縮する問題を解決することができ、しかも着脱構造の係着を箱体の外部からは解除できないようにしてセキュリティー面での信頼性を確保できるという優れた効果を奏し得る。
【発明を実施するための最良の形態】
【００２２】
以下、本発明の実施の形態を添付図面を参照して説明する。
【００２３】
図１は本発明の通い箱を構成する箱体組立シートの一例を示すものであり、箱体組立シート１は、発泡ポリプロピレンシート等の合成樹脂を素材としたプラスチック段ボール、或いは紙の芯材の外面を樹脂コートしたもの等からなる防水性を備えた防水性基材を用いて、折癖が付けられた折線５を介して横方向に連接された４枚の胴部パネル２ａ，２ｂ，２ｃ，２ｄからなる胴部２と、前記各胴部パネルの上端及び下端に折線５を介してそれぞれ連接された４枚の蓋パネル３ａ，３ｂ，３ｃ，３ｄ及び４枚の底パネル４ａ，４ｂ，４ｃ，４ｄを形成している。
【００２４】
更に、前記箱体組立シート１における胴部２の一端６ａと他端６ｂには固定孔７ａ，７ｂが形成してあり、胴部２の一端６ａには前記固定孔７ａを介して雄形固定具８が固定され、又、胴部２の他端６ｂには前記固定孔７ｂを介して雌形固定具９が固定され、上記雄形固定具８と雌形固定具９によって着脱構造１０が構成されている。
【００２５】
図１では、前記胴部２の一端６ａにコの字状の切欠部１１を備えた耳部１２が折線５を介して連接されており、該耳部１２に、切欠部１１に嵌合するようにした雄形固定具８を固定している。
【００２６】
図２は雄形固定具８の形態の一例を示すもので、図１の箱体組立シート１により組立てる箱体に固定した前記雄形固定具８を箱体の内側から見た正面図、図３は図２のＩＩＩ−ＩＩＩ方向矢視図、図４は図２の雄形固定具８を箱体の外側から見た背面図である。
【００２７】
雄形固定具８は、台部１３の箱体外側に、前記耳部１２に形成したコの字状の切欠部１１に嵌合できるコの字形の嵌合片１４を突設しており、コの字形の嵌合片１４の底辺１４’には、コの字形の内部をコの字形の開放端側（図２の左側）に向かって延設された可撓性の雄形係止片１５が備えられている。更に、雄形係止片１５の幅方向である図２の上下の外側位置には、後述する雌形固定具９のＵ字状の雌形ストッパが入り込める空間１６を設けている。図２〜図４に示した雄形係止片１５は、先端部において箱体の内側に向けて突出した係止段部１７を有するフラップ形係止片１８の場合を示している。
【００２８】
更に、前記雄形固定具８の台部１３におけるコの字形の嵌合片１４の外周には外側に向けて突出した複数の筒状突部１９を形成している。ここで、前記筒状突部１９の位置に対応するように、前記耳部１２の切欠部１１の外周に前記固定孔７ａが予め形成されている。
【００２９】
又、図５（ａ），（ｂ）に示すように、前記筒状突部１９の孔１９’に嵌合可能な固定ピン２０をフラット板２１に形成した止具２２が設けてあり、該止具２２の固定ピン２０を図３に矢印で示すように外側から前記筒状突部１９の孔１９’に挿入して固定ピン２０の突出端を前記台部１３に熱溶着することにより、前記雄形固定具８を耳部１２に固定するようにしている。
【００３０】
図６は雌形固定具９の形態の一例を示すもので、箱体組立シート１により組立てる箱体に固定した前記雌形固定具９を箱体の内側から見た正面図、図７は図６のＶＩＩ−ＶＩＩ方向矢視図、図８は図６のＶＩＩＩ−ＶＩＩＩ方向矢視図、図９は図６の雌形固定具９を箱体の外側から見た背面図である。
【００３１】
雌形固定具９は、前記雄形固定具８の雄形係止片１５が嵌合するＵ字状の雌形ストッパ２３を台部２４の内側に突設している。更に、前記台部２４における雌形ストッパ２３の外周には外側に向かって突出する複数の筒状突部２５を形成している。ここで、前記筒状突部１９の位置に対応するように、図１の胴部２の他端６ｂには前記固定孔７ｂが予め形成されている。そして、図５（ａ），（ｂ）に示した止具２２の固定ピン２０を図８に矢印で示すように外側から前記筒状突部２５の孔２５’に挿入して固定ピン２０の突出端を前記台部２４に熱溶着することにより、前記雌形固定具９を胴部２の他端６ｂに固定するようにしている。
【００３２】
前記雄形固定具８と前記雌形固定具９により構成される着脱構造１０は、図１では２個備えた場合を示しているが、着脱構造の設置数は任意に設定することができ、着脱構造１０の設置数を増やすと係着強度を高めることができる。
【００３３】
着脱構造１０を構成する前記雄形固定具８と雌形固定具９は合成樹脂によって形成することができ、合成樹脂で形成した雄形固定具８及び雌形固定具９は高い強度を保持することができる。
【００３４】
次に、上記図示例の作動を説明する。
【００３５】
図２〜図４に示した雄形固定具８は、図１における胴部２の一端６ａの耳部１２に形成した固定孔７ａに筒状突部１９を嵌合させると共に、耳部１２のコの字状の切欠部１１にコの字形の嵌合片１４を嵌合させた後、図５（ａ），（ｂ）の止具２２の固定ピン２０を外側から筒状突部１９の孔１９’に挿入して固定ピン２０の突出端を前記台部１３に熱溶着する。これにより、前記雄形固定具８は胴部２の一端６ａにおける耳部１２に対して強固に取付られる。
【００３６】
一方、図６〜図９に示した雌形固定具９は、図１における胴部２の他端６ｂに形成した固定孔７ｂに筒状突部２５を嵌合させた後、図５（ａ），（ｂ）の止具２２の固定ピン２０を外側から前記筒状突部２５の孔２５’に挿入して固定ピン２０の突出端を前記台部２４に熱溶着する。これにより、雌形固定具９は胴部２の他端６ｂに対して強固に取付られる。
【００３７】
前記したように雄形固定具８と雌形固定具９が固定された箱体組立シート１を、図１０に示すように角形の輪状を形成するように折線５に沿って折曲げると、雄形固定具８と雌形固定具９はそれぞれ図１１、図１２に示すように対向した状態になる。
【００３８】
続いて、図１２に矢印で示すように雄形固定具８と雌形固定具９を近付けて、雌形固定具９のＵ字状の雌形ストッパ２３に、雄形固定具８の雄形係止片１５を押し込んで嵌合させると、雄形係止片１５の先端部は上側に変形されながら雌形ストッパ２３に挿入されて図１３に示すように雌形固定具９は雄形固定具８の外側に重なるようになり、係止段部１７が雌形ストッパ２３の端部２３’を通り抜けると、雄形係止片１５の復帰力によって係止段部１７が下側（箱体の内側）に突出して雌形ストッパ２３に引っ掛かり、これによって着脱構造１０の引っ張り方向に対する強固な係着が行われる。このように、簡単な操作で着脱構造１０による係着を行うことができ、且つ高い強度での係着が可能になる。
【００３９】
又、図１３のように係着される着脱構造１０は、雌形固定具９の先端が雄形固定具８の段部８’に当接することによって押込み方向の位置が規制されるようになっている。
【００４０】
上記したように、着脱構造１０を係着させた後、図１０の蓋パネル３ａ，３ｂ，３ｃ，３ｄ及び底パネル４ａ，４ｂ，４ｃ，４ｄを折線利後に沿って折曲げることにより箱体を組立て、内部に物品を収容して図１４に示すようにテープ２６で蓋パネル３ａ，３ｂ，３ｃ，３ｄ及び底パネル４ａ，４ｂ，４ｃ，４ｄを固定することにより通い箱とすることができる。
【００４１】
また、上記通い箱を洗浄する際には、図１４のテープ２６を除去し、蓋パネル３ａ，３ｂ，３ｃ，３ｄ及び底パネル４ａ，４ｂ，４ｃ，４ｄを開放した後、図１３中Ａで示すように箱体の内側から手指等により係止段部１７を外側に押して雄形係止片１５を上側（箱体の外側）に変形させると、雄形係止片１５の係止段部１７が雌形ストッパ２３から外れた状態になるので、雄形固定具８と雌形固定具９を引き離すようにすると、容易に着脱構造１０による係着を解除することができる。
【００４２】
図１５〜図２０は、本発明の通い箱に有する着脱構造１０の他の形態を示したものであり、図１５〜図１７は雄形固定具２７を示し、又、図１８〜図２０は雌形固定具２８を示している。
【００４３】
図１５〜図１７に示す雄形固定具２７は、図２〜図４に示した雄形固定具８と同様に、耳部１２の切欠部１１に嵌合するコの字形の嵌合片１４を台部１３の内側に突設しており、又、該嵌合片１４の外周における台部１３の内側には筒状突部１９を形成しており、雄形固定具２７は図５（ａ），（ｂ）の止具２２を用い、前記形態と同様にして胴部２の一端６ａにおける耳部１２に対して固定される。図１５〜図１７の形態が前記図２〜図４の形態と異なる点は、コの字形の嵌合片１４の底辺１４’に、可撓性を有してコの字形の開放端側（図１５の左側）に向かって延設された２本の平行なアーム形係止片２９ａ，２９ｂからなる雄形係止片１５を備えている点である。２本のアーム形係止片２９ａ，２９ｂの先端部における対向面と反対側の面には夫々係止段部３０ａ，３０ｂが形成されている。又、２本のアーム形係止片２９ａ，２９ｂの図１５における上下の外側位置には、後述する雌形固定具２８のＵ字状の雌形ストッパが入り込める空間が設けられている。
【００４４】
図１８〜図２０に示す雌形固定具２８は、前記２本の平行なアーム形係止片２９ａ，２９ｂからなる雄形係止片１５が嵌合するＵ字状の雌形ストッパ３１を台部２４の内側に突設し、又、雌形ストッパ３１の外周には台部２４から外側に突出した筒状突部２５を形成しており、雌形固定具２８は図５（ａ），（ｂ）の止具２２を用い、前記形態と同様にして胴部２の他端６ｂに固定される。
【００４５】
上記した雄形固定具２７と雌形固定具２８を固定した胴部２は、図１０に示した如く角形の輪状を形成するように折線５に沿って折曲げると、雄形固定具２７と雌形固定具２８はそれぞれ図２１に示すように対応した状態となる。
【００４６】
続いて、雄形固定具２７と雌形固定具２８を接近させて、雌形固定具２８のＵ字状の雌形ストッパ３１に、２本の平行なアーム形係止片２９ａ，２９ｂからなる雄形係止片１５を押し込んで嵌合させると、アーム形係止片２９ａ，２９ｂの先端部は互いに接近するように変形されながら雌形ストッパ３１に挿入されて雌形固定具２８は雄形固定具２７の外側に重なるようになり、図２２に示すように、アーム形係止片２９ａ，２９ｂが雌形ストッパ３１の端部３１’を通り抜けると、アーム形係止片２９ａ，２９ｂの復帰力によって係止段部３０ａ，３０ｂが上下方向に突出して雌形ストッパ３１に引っ掛かり、これによって着脱構造１０の引っ張り方向に対する強固な係着が行われる。このように、簡単な操作で着脱構造１０による係着を行うことができ、且つ高い強度での係着が可能になる。
【００４７】
又、前記着脱構造１０による係着を解除する際には、図２２に示すように手指等により２本のアーム形係止片２９ａ，２９ｂの間隔を狭めるように変形させると、アーム形係止片２９ａ，２９ｂの係止段部３０ａ，３０ｂが雌形固定具２８の雌形ストッパ３１から外れるので、雄形固定具２７と雌形固定具２８を引き離すようにすると、容易に着脱構造１０の係着を解除することができる。
【００４８】
上記形態においては、筒状突部１９，２５を有する雄形固定具８，２７と雌形固定具９，２８を、図５（ａ），（ｂ）の止具２２によって胴部２に形成した固定孔７ａ，７ｂに固定する場合について例示した。この形態では、雄形固定具８，２７及び雌形固定具９，２８と止具２２を同系の合成樹脂により形成しておけば、これとは異なる材料で形成された箱体組立シート１の胴部２の端部（６ａ，６ｂ）に対しても固定孔７ａ，７ｂを介して固定することができる。
【００４９】
一方、前記箱体組立シート１と雄形固定具８，２７及び雌形固定具９，２８を同系の合成樹脂により形成しておくと、図２３に示すように、雄形固定具８，２７及び雌形固定具９，２８に備えた筒状突部１９，２５を胴部２の端部（６ａ，６ｂ）に形成した固定孔７ａ，７ｂに嵌合させて、固定孔７ａ，７ｂから突出した筒状突部１９，２５の突出端を熱溶着により胴部２に一体に固定することができる。図中３２は熱溶着部である。この形態によれば、前記図５（ａ），（ｂ）に示した止具２２を省略することができる。
【００５０】
又、前記箱体組立シート１と雄形固定具８，２７及び雌形固定具９，２８を同系の合成樹脂により形成しておき、雄形固定具８，２７及び雌形固定具９，２８における台部１３，２４を熱溶着によって胴部２の端部（６ａ，６ｂ）に対して直接一体に固定するようにしてもよい。この形態によれば、雄形固定具８，２７及び雌形固定具９，２８の筒状突部１９，２５、及び胴部２の固定孔７ａ，７ｂを省略することができる。
【００５１】
図２４は、本発明の通い箱の他の形態を示したものであり、この通い箱は、箱体組立シート１を構成する防水性基材を２つに分割されたピース部材Ｐ１，Ｐ２により形成しており、各ピース部材Ｐ１，Ｐ２における胴部２の両端部に対称になるように雄形固定具８と雌形固定具９からなる着脱構造１０を装備し、該着脱構造１０の係着により箱体を組み立てるようにしている。
【００５２】
図２４の形態によれば、特に箱体が大型の場合に、前記ピース部材Ｐ１，Ｐ２を切離すことにより、洗浄等の作業を容易に行える利点がある。
【００５３】
上記したように、本発明の通い箱によれば、簡単な構成の着脱構造１０によって短時間に係着・解除を行って箱体の組立てとシート状への展開が可能になり、且つ着脱構造１０による高い係着強度を保持することができ、更に、箱体の外部への突出部がないため衝突や摩耗によって通い箱が損壊したり寿命が短縮する問題を解決することができ、しかも着脱構造１０の係着を箱体の外部からは解除できないためセキュリティ面での信頼性を確保することができる。
【００５４】
なお、本発明の通い箱は、上記形態にのみ限定されるものではなく、本発明の要旨を逸脱しない範囲内において種々変更を加え得ることは勿論である。
【図面の簡単な説明】
【００５５】
【図１】本発明の通い箱を構成する箱体組立シートの一例を示す展開図である。
【図２】雄形固定具の一例を示したもので、図１の箱体組立シートにより組立てる箱体に固定した雄形固定具を箱体の内側から見た正面図である。
【図３】図２のＩＩＩ−ＩＩＩ方向矢視図である。
【図４】図２の雄形固定具を箱体の外側から見た背面図である。
【図５】（ａ）は本発明に用いられる止具の一例を示す側面図、（ｂ）は（ａ）の平面図である。
【図６】雌形固定具の一例を示したもので、図１の箱体組立シートにより組立てる箱体に固定した雌形固定具を箱体の内側から見た正面図である。
【図７】図６のＶＩＩ−ＶＩＩ方向矢視図である。
【図８】図６のＶＩＩＩ−ＶＩＩＩ方向矢視図である。
【図９】図６の雌形固定具を箱体の外側から見た背面図である。
【図１０】雄形固定具と雌形固定具を固定した箱体組立シートを角形の輪状に折曲げた状態を示す斜視図である。
【図１１】雄形固定具と雌形固定具が対向した状態を示す斜視図である。
【図１２】対向した雄形固定具の雄形係止片を雌形固定具の雌形ストッパに押込む状態を示す切断側面図である。
【図１３】雄形固定具の雄形係止片と雌形固定具の雌形ストッパが係着した状態を示す切断側面図である。
【図１４】本発明による通い箱の側面図である。
【図１５】雄形固定具の他の形態を示す正面図である。
【図１６】図１５のＸＶＩ−ＸＶＩ方向矢視図である。
【図１７】図１５の雄形固定具を箱体の外側から見た背面図である。
【図１８】雌形固定具の他の形態を示す正面図である。
【図１９】図１８のＸＩＸ−ＸＩＸ方向矢視図である。
【図２０】図１８の雌形固定具を箱体の外側から見た背面図である。
【図２１】雄形固定具と雌形固定具が対向した状態を示す斜視図である。
【図２２】雄形固定具の雄形係止片と雌形固定具の雌形ストッパが係着した状態を示す平面図である。
【図２３】雄形固定具及び雌形固定具を胴部の端部に固定する他の形態を示す側面図である。
【図２４】本発明の通い箱の他の形態を示す斜視図である。
【符号の説明】
【００５６】
２  胴部
２ａ，２ｂ，２ｃ，２ｄ      胴部パネル
３ａ，３ｂ，３ｃ，３ｄ      蓋パネル
４ａ，４ｂ，４ｃ，４ｄ      底パネル
５  折線
６ａ        一端
６ｂ        他端
７ａ，７ｂ  固定孔
８  雄形固定具
９  雌形固定具
１０  着脱構造
１１  切欠部
１２  耳部
１３  台部
１４  嵌合片
１５  雄形係止片
１８  フラップ形係止片（雄形係止片）
１９  筒状突部
１９’        孔
２０  固定ピン
２１  フラット板
２２  止具
２３  雌形ストッパ
２４  台部
２５  筒状突部
２５’        孔
２７  雄形固定具
２８  雌形固定具
２９ａ，２９ｂ        アーム形係止片（雄形係止片）
３１  雌形ストッパ
Ｐ１，Ｐ２  ピース部材
【図１】
2009091022.tif 000003
【図２】
2009091022.tif 000004
【図３】
2009091022.tif 000005
【図４】
2009091022.tif 000006
【図５】
2009091022.tif 000007
【図６】
2009091022.tif 000008
【図７】
2009091022.tif 000009
【図８】
2009091022.tif 000010
【図９】
2009091022.tif 000011
【図１０】
2009091022.tif 000012
【図１１】
2009091022.tif 000013
【図１２】
2009091022.tif 000014
【図１３】
2009091022.tif 000015
【図１４】
2009091022.tif 000016
【図１５】
2009091022.tif 000017
【図１６】
2009091022.tif 000018
【図１７】
2009091022.tif 000019
【図１８】
2009091022.tif 000020
【図１９】
2009091022.tif 000021
【図２０】
2009091022.tif 000022
【図２１】
2009091022.tif 000023
【図２２】
2009091022.tif 000024
【図２３】
2009091022.tif 000025
【図２４】
2009091022.tif 000026